(57)【要約】【課題】  ディスク装置において、ターンテーブルをディスクチャッキングのための動作位置と退避位置との間で移動させるカム機構を改造することにより、チャッキング安定性と、ターンテーブルによるディスクチャッキング動作やチャッキング解除動作の円滑性との両方を、余分な部品を追加せずに高める。【解決手段】  カムスライダ２と、カムスライダ２のカム溝２１に摺動自在に係合された可動体３とでなるカム機構１と、揺動変位される揺動フレーム６と、揺動フレーム６に搭載したターンテーブル４とを有し、可動体３が揺動フレーム６の自由端部に設けられている。カム溝２１が可動体３を位置規制する基準カム面２２とこの基準カム面２２との間で可動体３をがたつきなく挟み込む押え面２４とを有する。カムスライダ２にスリット状の開口２５を形成して樹脂ばね２６を具備させる。【選択図】        図３
2008071426.tif 000002
【特許請求の範囲】
【請求項１】
カム溝を備えるカムスライダと、上記カム溝に摺動自在に係合されて上記カムスライダの移動によってその移動方向に対し直交方向に移動される可動体とでなるカム機構と、一端部を支点として自由端部である他端部が互いに異なる位置である第１位置と第２位置との間で揺動変位される揺動フレームと、この揺動フレームに搭載されてこの揺動フレームの上記他端部が第２位置から第１位置に変位することによってディスクをチャッキングする動作位置に移動され、上記他端部が第１位置から第２位置に変位することによってディスクに対するチャッキングを解除する退避位置に移動されるターンテーブルとを有して、上記可動体が上記揺動フレームの他端部に設けられているディスク装置において、
上記カムスライダのカム溝が、ターンテーブルの動作位置で上記可動体を位置規制する平坦な基準カム面とこの基準カム面との間で上記可動体をがたつきなく挟み込む平坦な押え面とを有していると共に、この押え面を挟んで上記基準カム面の反対側でその押え面に沿ってスリット状の開口が形成され、かつ、この開口と上記カム溝とを仕切っている梁部により上記基準カム面から遠ざかる方向に変位可能な樹脂ばねが形成されてその樹脂ばねの表面によって上記押え面が形成され、
上記可動体が、上記板金製の上記揺動フレームの他端部に曲成された突片とこの突片に被せられて上記基準カム面と押え面とに摺動される樹脂製の外皮とからなることを特徴とするディスク装置。
【請求項２】
カム溝を備えるカムスライダと、上記カム溝に摺動自在に係合されて上記カムスライダの移動によってその移動方向に対し直交方向に移動される可動体とでなるカム機構と、一端部を支点として自由端部である他端部が互いに異なる位置である第１位置と第２位置との間で揺動変位される揺動フレームと、この揺動フレームに搭載されてこの揺動フレームの上記他端部が第２位置から第１位置に変位することによってディスクをチャッキングする動作位置に移動され、上記他端部が第１位置から第２位置に変位することによってディスクに対するチャッキングを解除する退避位置に移動されるターンテーブルとを有して、上記可動体が上記揺動フレームの他端部に設けられているディスク装置において、
上記カムスライダのカム溝が、ターンテーブルの動作位置で上記可動体を位置規制する基準カム面とこの基準カム面との間で上記可動体を挟み込む押え面とを有していると共に、この押え面が樹脂製の上記カムスライダに一体成形されて上記基準カム面から遠ざかる方向に変位可能な樹脂ばねの表面によって形成されていることを特徴とするディスク装置。
【請求項３】
上記押え面を挟んで上記基準カム面の反対側でその押え面に沿って上記カムスライダにスリット状の開口が形成されていて、この開口と上記カム溝とを仕切っている梁部によって上記樹脂ばねが形成されている請求項２に記載したディスク装置。
【請求項４】
上記基準カム面によって位置規制された上記可動体がその基準カム面と上記押え面とによってがたつきなく挟み込まれるように基準カム面と押え面との対向間隔が定められている請求項２又は請求項３に記載したディスク装置。
【発明の詳細な説明】
【技術分野】
【０００１】
本発明は、ディスク装置、特に、揺動フレームに搭載されているターンテーブルがディスクをチャッキングする動作位置に移動しているときに、そのターンテーブルの位置規制を高精度で行わせるための対策が講じられているディスク装置に関する。
【背景技術】
【０００２】
従来、ディスクをローラで装置本体の内部に引き込む所謂スロットインタイプのディスク装置においては、左右に移動されるカムスライダの作用によってターンテーブルをディスクをチャッキングする動作位置に移動させることが知られている（たとえば、特許文献１参照）。
【０００３】
この種のディスク装置において、カムスライダはそのカム溝に摺動自在に係合されている可動体と共にカム機構を構成していて、ターンテーブルがチャッキングのための動作位置に位置しているときには、可動体がカム溝の基準カム面に支えられてその動作位置での位置規制がなされている。このような作用を行うカム機構の構成などを図５及び図６を参照して次に説明する。
【０００４】
図５は従来のディスク装置に採用されているカム機構１の正面図、図６は図５のＶＩ部拡大図である。
【０００５】
このカム機構１は、カム溝２１を備えるカムスライダ２と、カム溝２１に摺動自在に係合されてカムスライダ２の移動によってその移動方向Ｘに対し直交方向Ｙに移動される可動体３とでなる。可動体３は、ターンテーブルを搭載して一端部を支点として他端部が揺動変位される揺動フレームの他端部に具備された突片３１に樹脂製の外皮３２を被せることによって形成されている。これに対し、カム溝２１には、異なる２位置で可動体３を位置規制するための片側及び他側の２つの基準カム面２２,２３が平行に備わっていて、それぞれの基準カム面２２,２３にはそれらと共同して可動体３を挟むための押え面２４,２５が対峙している。そして、図示のように片側の基準カム面２２で可動体３が支えられてターンテーブル（不図示）がチャッキングのための動作位置に位置規制されているときには、片側の基準カム面２２に対峙している押え面２４と可動体３との間にわずかなクリアランスδが確保されるようになっていて、このクリアランスδを確保しておくことによって、カムスライダ２が矢印Ｘ方向に移動したときに基準カム面２２に可動体３が乗り上がったりその基準カム面２２から可動体３が離れたりするときの動作の円滑性を確保していた。
【０００６】
【特許文献１】特開２００４−７１０２１号公報
【発明の開示】
【発明が解決しようとする課題】
【０００７】
しかしながら、上記のようにクリアランスδが存在していると、可動体３に対するカムスライダ２の移動の円滑性が保たれるとしても、そのクリアランスδの存在が、基準カム面２２によって支えられている可動体３ががたつく原因となる。そして、基準カム面２２に支えられている可動体３ががたつくと、上記のように可動体３を介してターンテーブルがその動作位置に位置規制されていることとの関係から、そのがたつきの影響が揺動フレームやその揺動フレームに搭載されているターンテーブルに及んでターンテーブルが正規姿勢から傾いたりがたついたりし、その結果、ターンテーブルによるディスクのチャッキング安定性が損なわれるおそれがある。特に、当該ディスク装置が垂直姿勢で設置されたり傾斜姿勢で設置されたりしたときに、ターンテーブルによるディスクのチャッキング安定性が損なわれるおそれが大きくなる。
【０００８】
そこで、本発明は、ターンテーブルをチャッキングのための動作位置で位置規制する作用を行う基準カム面に対峙している押え面と可動体との間のクリアランスを無くすることによってその基準カム面で支えられている可動体ががたつくという事態を解消し、もってチャッキング安定性を高めることができるものでありながら、可動体に対するカムスライダの移動の円滑性を保つことができるような対策を講じることによって、ターンテーブルによるディスクのチャッキング動作やチャッキング解除動作の円滑性を確保することを目的とする。
【０００９】
また、本発明は、上記のようなチャッキング安定性とターンテーブルによるディスクのチャッキング動作やチャッキング解除動作の円滑性との両方を、余分な部品を追加せずに高めることのできるディスク装置を提供することを目的とする。
【課題を解決するための手段】
【００１０】
本発明に係るディスク装置は、カム溝を備えるカムスライダと、上記カム溝に摺動自在に係合されて上記カムスライダの移動によってその移動方向に対し直交方向に移動される可動体とでなるカム機構と、一端部を支点として自由端部である他端部が互いに異なる位置である第１位置と第２位置との間で揺動変位される揺動フレームと、この揺動フレームに搭載されてこの揺動フレームの上記他端部が第２位置から第１位置に変位することによってディスクをチャッキングする動作位置に移動され、上記他端部が第１位置から第２位置に変位することによってディスクに対するチャッキングを解除する退避位置に移動されるターンテーブルとを有して、上記可動体が上記揺動フレームの他端部に設けられている。そして、上記カムスライダのカム溝が、ターンテーブルの動作位置で上記可動体を位置規制する基準カム面とこの基準カム面との間で上記可動体を挟み込む押え面とを有していると共に、この押え面が樹脂製の上記カムスライダに一体成形されて上記基準カム面から遠ざかる方向に変位可能な樹脂ばねの表面によって形成されている。
【００１１】
この発明では、カム溝の基準カム面によって支えられている可動体が、その基準カム面と樹脂ばねの表面によって形成されている押え面とによって挟み込まれるという構成を採用しているので、可動体と押え面との間のクリアランスを無くしたりそのクリアランスを可及的小さくしたりすることが可能になる結果、可動体ががたつきにくくなって揺動部材やターンテーブルが高精度で位置規制されるようになり、ターンテーブルの動作位置でのチャッキング安定性が向上する。それにもかかわらず、カムスライダが移動して可動体がカム溝の基準カム面に乗り上がるときや基準カム面から離れるときに可動体が押え面に押し付けられると、その押え面を形成している樹脂ばねが可動体に押されて基準カム面から遠ざかる方向に変位して摺動抵抗を軽減するので、基準カム面に可動体が乗り上がる動作や基準カム面から可動体が離れる動作が円滑に行われる。
【００１２】
本発明では、上記押え面を挟んで上記基準カム面の反対側でその押え面に沿って上記カムスライダにスリット状の開口が形成されていて、この開口と上記カム溝とを仕切っている梁部によって上記樹脂ばねが形成されているという構成を採用することが可能である。これによれば、その樹脂ばねを形成している梁部が両持ち状態に形成されるために、カムスライダと一体の樹脂ばねの厚さを薄くしても、その樹脂ばねに厚さの割りに大きなばね弾力性を付与しておくことが可能になる。したがって、樹脂ばねの厚さや長さを変えるだけでそのばね弾力性を適度に増減調節することが可能になり、可動体のがたつき防止作用と基準カム面に対する乗上りや離反の円滑性の確保との両方を満足させやすい。
【００１３】
本発明では、上記基準カム面によって位置規制された上記可動体がその基準カム面と上記押え面とによってがたつきなく挟み込まれるように基準カム面と押え面との対向間隔が定められているという構成を採用することが可能であり、これによれば、基準カム面によって支えられた可動体のがたつきがなくなり、揺動部材やターンテーブルのがたつきもなくなってターンテーブルによるチャッキング安定性が向上する。
【００１４】
本発明に係るディスク装置は、カム溝を備えるカムスライダと、上記カム溝に摺動自在に係合されて上記カムスライダの移動によってその移動方向に対し直交方向に移動される可動体とでなるカム機構と、一端部を支点として自由端部である他端部が互いに異なる位置である第１位置と第２位置との間で揺動変位される揺動フレームと、この揺動フレームに搭載されてこの揺動フレームの上記他端部が第２位置から第１位置に変位することによってディスクをチャッキングする動作位置に移動され、上記他端部が第１位置から第２位置に変位することによってディスクに対するチャッキングを解除する退避位置に移動されるターンテーブルとを有して、上記可動体が上記揺動フレームの他端部に設けられているディスク装置において、上記カムスライダのカム溝が、ターンテーブルの動作位置で上記可動体を位置規制する平坦な基準カム面とこの基準カム面との間で上記可動体をがたつきなく挟み込む平坦な押え面とを有していると共に、この押え面を挟んで上記基準カム面の反対側でその押え面に沿ってスリット状の開口が形成され、かつ、この開口と上記カム溝とを仕切っている梁部により上記基準カム面から遠ざかる方向に変位可能な樹脂ばねが形成されてその樹脂ばねの表面によって上記押え面が形成され、上記可動体が、上記板金製の上記揺動フレームの他端部に曲成された突片とこの突片に被せられて上記基準カム面と押え面とに摺動される樹脂製の外皮とからなる、という構成を採用することによっていっそう具体化される。
【００１５】
特に、この発明によると、揺動フレームやその他端部の突片が板金製であり、かつ、カムスライダが樹脂製であっても、突片に被せられた樹脂製の外皮がカム溝の基準カム面や押え面と摺動するので、カム溝が可動体によって削られたりすることがなくなり、長期に亘って上記した可動体のがたつき防止作用と基準カム面に対する乗上りや離反の円滑性の確保との両方を満足させることができるようになるという利点がある。
【発明の効果】
【００１６】
以上のように、本発明によると、ターンテーブルをチャッキングのための動作位置で位置規制する作用を行う基準カム面に対峙している押え面と可動体との間のクリアランスを無くしたりそれを最少限度に定めたりすることが可能であるので、基準カム面によって支えられている可動体ががたつくという事態が解消されて、ターンテーブルによるチャッキング安定性が高まる。それにもかかわらず、可動体に対するカムスライダの移動の円滑性も満足できる程度に確保されて、ターンテーブルによるディスクのチャッキング動作やチャッキング解除動作の円滑性が確保されるようになる。また、本発明によれば、上記のようなチャッキング安定性とターンテーブルによるディスクのチャッキング動作やチャッキング解除動作の円滑性との両方を、余分な部品を追加せずに高めることのできるので、ディスク装置の組立性や量産性が損なわれることもない。
【発明を実施するための最良の形態】
【００１７】
図１は本発明の実施形態に係るディスク装置の要部の概略平面図、図２はカム機構１の正面図、図３は図２のＩＩＩ部拡大図、図４は図１のＩＶ−ＩＶ線に沿う部分の拡大概略断面図である。
【００１８】
図１に示したディスク装置は、所謂スロットインタイプのディスク装置であり、具体的にはＤＶＤドライブなどが該当する。このディスク装置では、図示していない引込みローラによって筐体の内部に引き込まれたディスク（不図示）がターンテーブル４とクランパ（不図示）とによりチャッキングされてターンテーブル４と共に回転駆動され、その回転中に光ピックアップ５の作用によってディスクの記録面が光学的に処理される。
【００１９】
上記ターンテーブル４は板金製の揺動フレーム（ドライブシャーシ）６に搭載されている。そして、この揺動フレーム６は、その一端部６１が樹脂製の枠フレーム（シャーシ）７に揺動自在に取り付けられ、その他端部である自由端部６２が一点鎖線で示した横軸Ｐの位置を支点として、その横軸Ｐの回りで互いに異なる位置である第１位置と第２位置との間で揺動変位されるようになっている。ここで、第１位置は、ターンテーブル４が上記したクランパと協働してディスクをチャッキングする動作位置に位置しているときの上記自由端部６２の位置のことであり、第２位置は、ターンテーブル４がディスクのチャッキングを解除してディスクの搬入出を許容する退避位置に位置しているときの上記自由端部６２の位置のことである。
【００２０】
揺動フレーム６の揺動はカム機構１によって行われる。このカム機構１は、枠フレーム７に具備されているガイド機構（不図示）に案内されて矢印Ｘで示した枠フレーム７の幅方向の一定範囲でスライド移動可能なカムスライダ２と可動体３とを有していて、カムスライダ２の矢印Ｘ方向の正逆移動が歯車機構８によって駆動されるようになっている。
【００２１】
図２又は図３に示したように、カム機構１の可動体３は、カムスライダ２のカム溝２１に摺動自在に係合されて、カムスライダ２の移動によってその移動方向に対し直交方向である枠フレーム７の厚さ（高さ）方向に移動される。図４で判るように、可動体３は、ターンテーブル４（図１参照）を搭載している揺動フレーム６の自由端部６２に曲成されている突片３１に樹脂製キャップ型の外皮３２を被せることによって形成されている。
【００２２】
一方、カムスライダ２のカム溝２１には、異なる２位置で可動体３を位置規制するための片側及び他側の２つの基準カム面２２,２３が平行に備わっていて、それぞれの基準カム面２２,２３にはそれらと共同して可動体３を挟み込むための押え面２４,２５が対峙している。そして、図２及び図３のように片側の基準カム面２２に可動体３が乗り上がって支えられているときには、揺動フレーム６の自由端部６２が第１位置に位置して、ターンテーブル４がチャッキングのための動作位置に位置規制されている。また、このときには、可動体３が片側の基準カム面２２とそれに対峙している押え面２４とによってがたつきなく挟み込まれている。したがって、図６に示されているようなクリアランスδは存在していない。これに対し、他側の基準カム面２３に可動体３が乗り上がって支えられているときには、揺動フレーム６の自由端部６２が第２位置に位置して、ターンテーブル４がディスクに対するチャッキングを解除する退避位置に移動している。
【００２３】
図２及び図３又は図４のように、可動体３が片側の基準カム面２２により支えられてターンテーブル４がチャッキングのための動作位置に位置規制されているときに、基準カム面２２と押え面２４とが可動体３をがたつきなく挟み込んでいると、その可動体３の突片３１が揺動フレーム６の自由端部６２に曲成されていることから揺動フレーム６ががたついたり揺動フレーム６の姿勢が不安定になったりしにくい。そのため、揺動フレーム６に搭載されているターンテーブル４がチャッキングのための動作位置で精度よく位置規制される。このことから、図５又は図６で説明したようなクリアランスδが存在している場合に比べると、チャッキング安定性が向上することになる。
【００２４】
しかしながら、基準カム面２２と押え面２４とが可動体３をがたつきなく挟み込んでいる状態では、図５又は図６で説明したようなクリアランスδが存在している場合に比べて、可動体３と基準カム面２２及び押え面２４との摺動抵抗が大きくなるので、カムスライダ２が矢印Ｘ方向に移動して基準カム面２２から可動体３が離れたり基準カム面２２に可動体３が乗り上がったりするときの動作の円滑性が損なわれることになる。そこで、この実施形態では、図２及び図３又は図４のように、押え面２４を挟んで基準カム面２２の反対側でその押え面２４に沿う方向に長いスリット状の開口２５を形成して、その開口２５とカム溝２１とを仕切っている両持ち梁部により樹脂ばね２６を形作り、その樹脂ばね２６の表面によって上記押え面２４を形成させてあると共に、その樹脂ばね２５を基準カム面２２から遠ざかる方向（図中では上方）にばね弾力性に抗して変位可能としてある。
【００２５】
この構成を採用しておくと、基準カム面２２によって可動体３ががたつきなく支えられているとしても、カムスライダ２が移動して可動体３が基準カム面２２に乗り上がるときや基準カム面２２から離れるときに可動体３が押え面に押し付けられると、押え面２４を形成している樹脂ばね２６が可動体３に押されて基準カム面２２から遠ざかる方向に変位して摺動抵抗を軽減する。そのため、基準カム面２２に可動体３が乗り上がる動作や基準カム面２２から可動体が離れる動作の円滑性が問題なく保たれる。
【００２６】
この実施形態では、カムスライダ２に樹脂ばね２６を一体に形成する手段として、カムスライダ２にスリット状の開口２５を開設するという手段を採用したので、樹脂ばね２６を具備させるのに余分な部品を用いる必要がない。そのため、組立性が図５などを参照して説明したカム機構１と同等に維持されるようなり、量産性も損なわれることがない。また、樹脂ばね２６を形成している梁部が両持ち状態に形成されているために、樹脂ばね２６の厚さを薄くしても、その樹脂ばね２６に厚さの割りに大きなばね弾力性を付与しておくことが容易である。その結果、樹脂ばね２６の厚さや長さを変えるだけでそのばね弾力性を適度に増減調節することが可能になり、可動体３のがたつき防止作用と基準カム面２２に対する乗上りや離反の円滑性の確保との両方を容易に満足させることができるという利点がある。
【００２７】
また、この実施形態によると、揺動フレーム６やその自由端部６２の突片３１が板金製であり、かつ、カムスライダ２が樹脂製であるとしても、突片３１に被せられた樹脂製の外皮３２がカム溝２１の基準カム面２２や押え面２４と摺動するので、それらの基準カム面２２や押え面２４が可動体３によって削られたりすることがなくなり、長期に亘って可動体３のがたつき防止作用と基準カム面２２に対する乗上りや離反の円滑性の確保との両方が維持されるという利点がある。
【００２８】
さらに、この実施形態では、基準カム面２２によって支えられている可動体３がその基準カム面２２と押え面２４とによってがたつきなく挟み込まれるように基準カム面２２と押え面２４との対向間隔を定めてあるけれども、設計上の公差やその他の条件によって可動体３と押え面２４との間に不可避的クリアランスが形成されることを余儀なくされる場合もあり得る。しかし、そのような不可避的クリアランスの広さに見合うがたつきが可動体３に発生したとしても、そのようながたつきは、図５などで説明したクリアランスδによるがたつきに比べて無視できる程度に小さくなって、ターンテーブル４によるチャッキング安定性を損なうようなものではない。したがって、可動体３と押え面２４との間に不可避的クリアランスが形成されているものも本発明の範囲に含まれる。
【００２９】
なお、図１〜図６においては、同一又は相応する部分に同一符号を付すことによって、従来例と実施形態との相違点を理解するための助けとしてある。
【図面の簡単な説明】
【００３０】
【図１】本発明の実施形態に係るディスク装置の要部の概略平面図である。
【図２】カム機構の正面図である。
【図３】図２のＩＩＩ部拡大図である。
【図４】図１のＩＶ−ＩＶ線に沿う部分の拡大概略断面図である。
【図５】従来のディスク装置に採用されているカム機構の正面図である。
【図６】図５のＶＩ部拡大図である。
【符号の説明】
【００３１】
１  カム機構
２  カムスライダ
３  可動体
４  ターンテーブル
６  揺動フレーム
２１  カム溝
２２  基準カム面
２４  押え面
２５  開口
２６  樹脂ばね
３１  突片
３２  外皮
６１  揺動フレームの一端部
６２  揺動フレームの自由端部
【図１】
2008071426.tif 000003
【図２】
2008071426.tif 000004
【図３】
2008071426.tif 000005
【図４】
2008071426.tif 000006
【図５】
2008071426.tif 000007
【図６】
2008071426.tif 000008